(57)【要約】      （修正有）【課題】より様々な音の高さ、音の質を楽しむことのできる組太鼓を提供する。【解決手段】輪状部材と、この輪状部材に張られた革部材２２と、を有する太鼓部材２を複数有し、一対の枠部材３１によって複数の太鼓部材の輪状部材を固定する。太鼓部材の前記輪状部材の大きさが互いに異なること、枠部材は複数に分割可能であるとともに、接続部材４によって接合されていること、または、一対の枠部材は、支柱５に固定されていることが好ましい。【選択図】図１
0003184120.tif 000002
【実用新案登録請求の範囲】
【請求項１】
輪状部材と、前記輪状部材に張られた革部材と、を有する太鼓部材を複数有し、
一対の枠部材によって前記複数の太鼓部材の前記輪状部材を固定してなる組太鼓。         
【請求項２】
前記太鼓部材の前記輪状部材の大きさが互いに異なる請求項１記載の組太鼓。
【請求項３】
前記枠部材は複数に分割可能であるとともに、接続部材によって接合されてなる請求項１記載の組太鼓。
【請求項４】
前記一対の枠部材は、支柱に固定される請求項１記載の組太鼓。  
【考案の詳細な説明】
【技術分野】
【０００１】
本考案は、組太鼓に関する。
【背景技術】
【０００２】
太鼓は、一般に中空の筒形状の胴と、この胴の両面に革を張り、この革を敲くことで音を鳴らすことのできる打楽器であって、特に、祭りを盛り上げるために欠かすことのできない楽器である。
【０００３】
ところで、太鼓にはさまざまな種類があり、上記とは異なり胴がなく、取手部材を備えた輪状部材に革を張ったシンプルな構成のうちわ太鼓といったものも存在する。うちわ太鼓は上記の構成であって軽く、持ち運びが便利であるといった利点がある。
【考案の概要】
【考案が解決しようとする課題】
【０００４】
しかしながら、上記うちわ太鼓は手持ちを前提とするものであり、一方の手に一つ保持するのが限界であって、様々な音を出すことを想定していない。
【０００５】
すなわち、太鼓の音は変えることができない。ある程度連続的に音の高さを変えることができればより祭りを盛り上げるために好適な太鼓とすることができる。
【０００６】
そこで、本考案は、上記課題を鑑み、より様々な音の高さ、音の質を楽しむことのできる組太鼓を提供することを目的とする。
【課題を解決するための手段】
【０００７】
上記課題を解決する第一の観点に係る組太鼓は、輪状部材と、輪状部材に張られた革部材と、を有する太鼓部材を複数有し、一対の枠部材によって複数の太鼓部材の輪状部材各々を固定してなることを特徴とする。
【０００８】
また、本観点において、限定されるわけではないが、太鼓部材の輪状部材の大きさが互いに異なることが好ましい。
【０００９】
また、本観点において、限定されるわけではないが、枠部材は複数に分割可能であるとともに、接続部材によって接合されてなることが好ましい。
【００１０】
また、本観点において、限定されるわけではないが、一対の枠部材は、支柱に固定されていることが好ましい。
【考案の効果】
【００１１】
以上、本考案により、より様々な音の高さ、音の質を楽しむことのできる組太鼓を提供することができる。
【図面の簡単な説明】
【００１２】
【図１】実施形態に係る組太鼓の正面の概略を示す図である。
【図２】実施形態に係る組太鼓の側面の概略を示す図である。
【図３】実施形態に係る組太鼓に用いられるうちわ太鼓の概略を示す図である。
【図４】実施形態に係る組太鼓において枠部材がうちわ太鼓をはさむ状態の部分拡大図である。
【図５】実施形態に係る組太鼓の枠部材を分割した場合の図である。
【考案を実施するための最良の形態】
【００１３】
以下、本考案の実施形態について、図面を用いて詳細に説明する。ただし、本考案は多くの異なる形態による実施が可能であり、以下に示す実施形態、実施例の例示に限定されるものではない。
【００１４】
図１及び図２は、本実施形態に係る組太鼓（以下「本組太鼓」という。）の概略を説明するための図である。図１は、本組太鼓１の正面図であり、図２は、その右側面図である。また、図３は、本組太鼓１に組み込まれる太鼓部材２の一つの概略を示す図である。
【００１５】
本図で示すように、本組太鼓１は、輪状部材２１と、この輪状部材２１に張られた革部材２２と、を有する太鼓部材２を複数有しており、一対の枠部材３１、３２によって複数の太鼓部材２の輪状部材２１各々を固定してなる。
【００１６】
本実施形態において、太鼓部材２は、撥等によって叩くことで音を出すことのできるものである。具体的な構造としては、上記のとおり、輪状部材２１と、この輪状部材２１に張られた革部材２２と、を有し、いわゆるうちわ太鼓とよばれる。
【００１７】
本実施形態において、輪状部材２１は、革部材２２を張るために設けられる部材であって、材質としては、革部材２２を張り音を出すことができる限りにおいて限定されるわけではないが、例えば金属、木材等を例示することができる。また、輪状部材２１の形状は、限定されるわけではないが、円形状であることが好ましい。なお円形状である場合、その直径は、限定されるわけではないが、２０ｃｍ以上８０ｃｍ以下であることが好ましい。また、本実施形態において、輪状部材の大きさは、もちろん同じ径のものがあっても構わないが、異なる径の大きさの太鼓部材となっていると様々な音の高さを出すことが可能となり好ましいため、それぞれ異なっているものであることは好ましい。
【００１８】
また、本実施形態において、革部材２２は、叩かれることで音を出す部材である。この限りにおいて限定されるわけではないが、例えば牛や馬等の皮をなめしたものであることが好ましい。
【００１９】
また本実施形態において、上記複数の太鼓部材２は、その輪状部材２１が一対の枠部材３１、３２によって固定されている。輪状部材を固定することで、革の振動を妨げる虞が少なくなり、良質な音を実現することができる。この断面の部分拡大図について図４に示しておく。
【００２０】
本図でも示すように、一対の枠部材３１、３２は、組み合わされることにより太鼓部材２を固定することができる。一対の枠部材３１、３２を固定する方法としては、固定できる限りにおいて限定されるわけではないが、貫通孔とこの貫通孔を貫通するボルトとこれと組み合わされるナットとを有する組み合わせ３３であることが簡便であり好ましい。
【００２１】
また本実施形態において、一対の枠部材３１、３２のそれぞれは、複数に分割可能であるとともに、接続部材４によって接合されていることが好ましい。この場合の分割に関する例の図を図５に示しておく。このようにすることで、太鼓部材２に応じて枠部材３１、３２の領域を細かくすることができ、必要な数だけ太鼓部材２を設置することが可能となるだけでなく、細かく分割することで持ち運びが容易になるといった利点がある。なおこの場合において、分割された枠部材の各々には少なくとも一つの太鼓部材２が割り当てられていることが好ましい。また、分割された枠部材の各々には少なくとも取手部材２３が配置されていることが好ましい。このようにすることで、分割されても演奏者は取手部材２３をもち、太鼓部材をたたき音を出すことが容易となる。
【００２２】
分割された一対の枠部材３１、３２それぞれを接合する接合部材４としては、貫通孔３１が形成された金属板であることは好ましい一例である。この例の場合、接合部材４の貫通孔４１と枠部材の貫通孔３１１の位置を合わせ、この貫通孔に、ボルト及びナットで例示される固定部材を挿入し、締め付けることで枠部材を複数接合することが可能となる。
【００２３】
また本実施形態において、一対の枠部材は、支柱５に固定されていることが好ましい。複数の太鼓部材を接合した場合、非常に重くなるため、支柱に固定することで安定して設置できるといった利点がある。
【００２４】
一対の枠部材の支柱５への固定方法としては特に限定されるわけではないが、例えば支柱に、取手部材の差込口を設け、この差込口に取手部材を差し込むことで固定する方法とすることが好適である。なおこの差込口は複数設けておくことで、より安定的に固定することが可能となる。
【００２５】
また、本実施形態では、組太鼓を付した支柱においてバランスをとるため、たとえば反対側に銅鑼等の打楽器６を配置しておくことも好ましい。このようにすることで重さのバランスをとり安定的に配置することができる。
【００２６】
以上、本考案によって、より様々な音の高さ、音の質を楽しむことのできる組太鼓を提供することができる。
【産業上の利用可能性】
【００２７】
本発明は組太鼓として産業上の利用可能性がある。
【図１】
0003184120.tif 000003
【図２】
0003184120.tif 000004
【図３】
0003184120.tif 000005
【図４】
0003184120.tif 000006
【図５】
0003184120.tif 000007